(57)【要約】【課題】  中心に鋼心撚線２を有し、その外側に断面セグメント形のアルミ素線を撚り合わせて構成される複数層のアルミ撚線層３Ａ、３Ｂを有し、最内層のアルミ撚線層３Ａと中心の鋼心撚線２の間に隙間を設けてなる低弛度電線１と、前記鋼心撚線２を圧縮接続する鋼スリーブ６と、前記アルミ撚線層３Ａ、３Ｂを圧縮接続するアルミスリーブ７と、からなる低弛度電線の圧縮接続部において、アルミスリーブ７によるアルミ撚線層３Ａ、３Ｂの把持力を高める。【解決手段】複数層のアルミ撚線層３Ａ、３Ｂの端部を、最内層のアルミ撚線層２Ａの端部が露出するように段剥ぎし、露出した最内層のアルミ撚線層２Ａと前記アルミスリーブ７との間に金属カラー１０を介在させてアルミスリーブ７を圧縮し、各層のアルミ撚線層３Ａ、３Ｂに個別に圧縮力を加える。【選択図】図１
2014121239.tif 000002
【特許請求の範囲】
【請求項１】
中心に鋼心撚線を有し、その外側に断面セグメント形のアルミ素線を撚り合わせて構成されるアルミ撚線層を複数層有し、最内層のアルミ撚線層と中心の鋼心撚線との間に隙間を設けてなる低弛度電線と、
前記鋼心撚線を圧縮接続する鋼スリーブと、
前記アルミ撚線層を圧縮接続するアルミスリーブと、からなる低弛度電線の圧縮接続部であって、
圧縮接続部内において前記最内層のアルミ撚線層が、最外層のアルミ撚線層の端部から段剥ぎされて露出しており、
前記最内層のアルミ撚線層が前記アルミスリーブによって圧縮把持されている、ことを特徴とする低弛度電線の圧縮接続部。
【請求項２】
前記最内層のアルミ撚線層の端部と、前記アルミスリーブとの間に金属カラーが介在されていることを特徴とする請求項１に記載の低弛度電線の圧縮接続部。
【請求項３】
前記金属カラーは、前記最内層アルミ撚線層と前記最外層アルミ撚線層の外径差に相当する肉厚を有することを特徴とする請求項２に記載の低弛度電線の圧縮接続部。
【発明の詳細な説明】
【技術分野】
【０００１】
本発明は、鋼心撚線とその上のアルミ撚線層との間に隙間（ギャップ）を設けた低弛度電線、特に断面セグメント形のアルミ素線を撚り合わせてなるアルミ撚線層を２層以上有する低弛度電線の圧縮接続部に関するものである。
【背景技術】
【０００２】
図３に架空送電線として用いられる低弛度電線の一例を示す。この低弛度電線１は、中心に鋼心撚線２を有し、その外側に断面セグメント形（側面で面接触する断面形状）のアルミ素線３ａを撚り合わせてなる第一のアルミ撚線層３Ａと、同じく断面セグメント形のアルミ素線３ｂを撚り合わせてなる第二のアルミ撚線層３Ｂとを有し、第一のアルミ撚線層３Ａと鋼心撚線２との間に隙間Ｇを設けたものである。隙間Ｇには鋼心撚線２と第一のアルミ撚線層３Ａとの摩擦低減のためグリース４が充填されている（特許文献１）。
【０００３】
低弛度電線１は、電線張力を鋼心撚線２に負担させ、アルミ撚線層３Ａ、３Ｂには負担させないことで、弛度の増加を抑制するものである。この低弛度電線１は、最外層のアルミ撚線層３Ｂを構成するアルミ素線３ｂのうちの一部の素線の電線径方向サイズを大きくして風騒音防止用のヒレ５を形成したものであるが、ヒレを形成しない低弛度電線もある。
【０００４】
このような低弛度電線を圧縮接続する場合には、図４に示すように、２層のアルミ撚線層３Ａ、３Ｂの端部を切り揃えて露出させた鋼心撚線２を鋼スリーブ６で圧縮接続し、アルミ撚線層３Ａ、３Ｂをアルミスリーブ７で圧縮接続する。この圧縮接続部は、鋼スリーブ６の後端に引留部８を設け、アルミスリーブ７の後端にジャンパーソケット取付部９を設けた引留クランプの形態である。
【０００５】
従来、低弛度電線のアルミ撚線層をアルミスリーブで圧縮接続する場合には、図５に示すように、最外層のアルミ撚線層３Ｂ上に断面円形のアルミスリーブ７を被せて、このアルミスリーブ７を破線のように断面六角形に圧縮することで、２層のアルミ撚線層３Ａ、３Ｂを一括して圧縮接続していた。３層のアルミ撚線層を有する低弛度電線の場合も同様である。
【先行技術文献】
【特許文献】
【０００６】
【特許文献１】特開２００６−３１８８６９号公報
【発明の概要】
【発明が解決しようとする課題】
【０００７】
しかし、この種の低弛度電線の場合は、鋼心撚線２と内層側アルミ撚線層３Ａとの間に隙間Ｇがあること、そして、最外層アルミ撚線層３Ｂが断面セグメント形のアルミ素線の撚り合わせで構成されているためブリッジ効果で潰れにくいことから、内層のアルミ撚線層３Ａに十分な圧縮力を加えることが難しい。その結果、アルミスリーブ７によるアルミ撚線層３Ａ、３Ｂの把持力を高めることが難しく、アルミスリーブ７とアルミ撚線層３Ａ、３Ｂの相対的なズレ（アルミ撚線層３Ａ、３Ｂの引き抜け）が生じるおそれがある。
【０００８】
特に、ヒレ５を設けた低弛度電線の場合は、最外層アルミ撚線層３Ｂとアルミスリーブ７との間にも隙間Ｇが生じ、その分圧縮代が食われることから、アルミスリーブ７によるアルミ撚線層３Ａ、３Ｂの把持力を高めることがさらに難しくなる。
【０００９】
本発明の目的は、アルミスリーブによるアルミ撚線層の把持力を高めた低弛度電線の圧縮接続部を提供することにある。
【課題を解決するための手段】
【００１０】
この目的を達成するため本発明は、
中心に鋼心撚線を有し、その外側に断面セグメント形のアルミ素線を撚り合わせて構成されるアルミ撚線層を複数層有し、最内層のアルミ撚線層と中心の鋼心撚線との間に隙間を設けてなる低弛度電線と、
前記鋼心撚線を圧縮接続する鋼スリーブと、
前記アルミ撚線層を圧縮接続するアルミスリーブと、からなる低弛度電線の圧縮接続部であって、
圧縮接続部内において前記最内層のアルミ撚線層が、最外層のアルミ撚線層の端部から段剥ぎされて露出しており、
前記最内層のアルミ撚線層が前記アルミスリーブによって圧縮把持されている、ことを特徴とするものである。
【００１１】
本発明に係る低弛度電線の圧縮接続部においては、前記最内層のアルミ撚線層の端部と、前記アルミスリーブとの間に金属カラーが介在されていることが好ましい。
【００１２】
本発明に係る低弛度電線の圧縮接続部においては、前記金属カラーは、前記最内層アルミ撚線層と前記最外層アルミ撚線層の外径差に相当する肉厚を有することが好ましい。
つまり、金属カラーとしては、アルミスリーブと同程度の硬さを有するアルミカラーを使用することが好ましい。
【発明の効果】
【００１３】
本発明によれば、段剥ぎにより最内層のアルミ撚線層を露出させ、露出した最内層のアルミ撚線層の端部がアルミスリーブによって圧縮把持されているので、最外層のアルミ撚線層だけでなく、最内層のアルミ撚線層もアルミスリーブによって確実に圧縮される状態となる。したがって複数層のアルミ撚線層をアルミスリーブにより強く把持することができ、アルミスリーブとアルミ撚線層の相対的なズレを防止できる。
【図面の簡単な説明】
【００１４】
【図１】本発明に係る低弛度電線の圧縮接続部の一実施例を示す断面図。
【図２】本発明に係る低弛度電線の圧縮接続部の他の実施例を示す断面図。
【図３】ヒレ付き低弛度電線を示す断面図。
【図４】従来の低弛度電線の圧縮接続部を示す断面図。
【図５】ヒレ付き低弛度電線を圧縮接続する際の、アルミスリーブを圧縮する前の状態を示す断面図。
【発明を実施するための形態】
【実施例】
【００１５】
図１は本発明に係る低弛度電線の圧縮接続部の一実施例を示す。符号は図３及び図４と同様で、１は低弛度電線、２は鋼心撚線、３Ａは断面セグメント形のアルミ素線を撚り合わせてなる第一のアルミ撚線層、３Ｂは断面セグメント形のアルミ素線を撚り合わせてなる第二のアルミ撚線層、６は鋼心撚線２を圧縮接続する鋼スリーブ、７はアルミ撚線層３Ａ、３Ｂを圧縮接続するアルミスリーブ、８は鋼スリーブ６の後端に設けた引留部、９はアルミスリーブ７の後端に設けたジャンパーソケット取付部である。
【００１６】
この圧縮接続部の特徴は、２層のアルミ撚線層３Ａ、３Ｂの端部を内層のアルミ撚線層３Ａの端部が露出するように段剥ぎし、露出した内層のアルミ撚線層３Ａとアルミスリーブ７の間にアルミカラー１０を介在させて、アルミスリーブ７を圧縮し、内層アルミ撚線層３Ａと外層アルミ撚線層３Ｂに個別に圧縮力を加えたことである。
【００１７】
このようにすると、２層のアルミ撚線層３Ａ、３Ｂをアルミスリーブ７によって個別に把持することができるので、アルミ撚線層３Ａ、３Ｂの把持力が強くなり、アルミスリーブ７とアルミ撚線層３Ａ、３Ｂの相対的なズレを防止できる。
【００１８】
なお、アルミカラー１０は二つ割りにしておくことが取扱上好ましい。また、アルミカラー１０の肉厚は内層のアルミ撚線層３Ａの外周面とアルミスリーブ７の内周面との間の隙間を埋める程度に設定されるのが好ましい。具体的には、低弛度電線１がヒレを有しない場合は、内層アルミ撚線層３Ａと外層アルミ撚線層３Ｂの外径差に相当する肉厚に設定され、低弛度電線１が図３に示すようなヒレ５を有する場合には、ヒレ５の外接円の直径と内層アルミ撚線層３Ａの外径との差に相当する肉厚に設定される。このようにすれば、内層アルミ撚線層３Ａをアルミスリーブ７で確実に圧縮することができる。
【００１９】
また、図１において、アルミカラーは内層アルミ撚線層３Ａ全域にわたるように配置されているが、必ずしもこのように配置しなければならないわけではなく、内層アルミ撚線層３Ａの長手方向の一部分に配置される態様であってもよい。
また、図示しないが、アルミカラー（金属カラー）として、内層アルミ撚線層３Ａ上に、内層アルミ撚線層３Ａと外層アルミ撚線層３Ｂの外径差に相当する線径の、アルミ線材や他の金属線材を巻き付けるようにしても良い。
【００２０】
図２は本発明に係る低弛度電線の圧縮接続部の他の実施例を示す。この実施例が図１の実施例と異なる点は、アルミカラーを使用することなく、アルミスリーブ７の内径を、内層アルミ撚線層３Ａを圧縮する区間は内層アルミ撚線層３Ａを圧縮できるサイズに、外層アルミ撚線層３Ｂを圧縮する区間は外層アルミ撚線層３Ｂを圧縮できるサイズに設定して、アルミスリーブ７で内層アルミ撚線層３Ａ及び外層アルミ撚線層３Ｂに個別に圧縮力を加えたものである。
【００２１】
このような構成でも、２層のアルミ撚線層３Ａ、３Ｂをアルミスリーブ７によって個別に把持することができるので、アルミ撚線層３Ａ、３Ｂの把持力が強くなり、アルミスリーブ７とアルミ撚線層３Ａ、３Ｂの相対的なズレを防止できる。
【符号の説明】
【００２２】
１：低弛度電線
２：鋼心撚線
３Ａ：内層アルミ撚線層
３Ｂ：外層アルミ撚線層
３ａ：内層アルミ撚線層を構成するアルミ素線
３ｂ：外層アルミ撚線層を構成するアルミ素線
Ｇ：隙間
４：グリース
５：ヒレ
６：鋼スリーブ
７：アルミスリーブ
８：引留部
９：ジャンパーソケット取付部
１０：アルミカラー（金属カラー）
【図１】
2014121239.tif 000003
【図２】
2014121239.tif 000004
【図３】
2014121239.tif 000005
【図４】
2014121239.tif 000006
【図５】
2014121239.tif 000007